(57)【要約】【課題】薄型・小型化したバックライト装置を提供することである。【解決手段】バックライト装置の光源ユニット１８に備えられたランプホルダ２４は、ランプ２２の端部を支持するため、第１の開口部２４ａ及び第１の空洞部２４ｂを有するランプ支持部２４ｃと、ランプケーブル２３の端部を支持するため、第１の空洞部２４ｂと略平行に形成された第２の空洞部２４ｄと、第２の空洞部２４ｄの第１の開口部２４ａと同方向の端部に形成された第２の開口部２４ｅとを有するランプケーブル支持部２４ｆと第１及び第２の空洞部２４ｂ、２４ｄの壁面を分断し、第１の空洞部２４ｂと第２の空洞部２４ｄとを連通するとともに、第１及び第２の開口部２４ａ、２４ｅまで延びた溝部２４ｇとから形成される。【選択図】図２
2006092767.tif 000002
【特許請求の範囲】
【請求項１】
線状のランプと、該ランプに接続されたランプケーブルと、前記ランプ及び前記ランプケーブルの接続部を覆うランプホルダと、該ランプホルダを固定すると共に前記ランプからの発光を反射するランプリフレクタとを有する光源ユニットを備えたバックライト装置において、前記ランプホルダは、第１の開口部及び第１の空洞部を有し、前記ランプの端部を支持するランプ支持部と、前記第１の空洞部と略平行に形成された第２の空洞部と、前記第２の空洞部の前記第１の開口部と同方向の端部に形成された第２の開口部とを有し、前記ランプケーブルの端部を支持するランプケーブル支持部と、前記第１及び第２の空洞部の壁面を分断し、前記第１の空洞部と前記第２の空洞部とを連通するとともに、前記第１及び第２の開口部まで延びた溝部とを備えることを特徴とするバックライト装置。
【請求項２】
前記第１の空洞部が前記第２の空洞部より長く、前記第１の空洞部の前記第１の開口部とは反対側の端部と、前記第２の空洞部の前記第２の開口部とは反対側の端部とが並設されることを特徴とする請求項１記載のバックライト装置。
【請求項３】
前記溝部のうち、前記第２の空洞部の前記第２の開口部とは反対側の端部から前記第２の開口部と前記第１の開口部との間の所定位置までの部分は、前記ランプケーブルよりも太いことを特徴とする請求項１又は２記載のバックライト装置。
【請求項４】
前記ランプリフレクタの断面は、コ字状の一方の角を直線で面取りした形状であり、面取りした部分に前記ランプケーブルを這わせることを特徴とする請求項１〜３の何れかに記載のバックライト装置。
【請求項５】
前記ランプケーブルと前記ランプリフレクタとが接着されていることを特徴とする請求項１〜４の何れかに記載のバックライト装置。
【請求項６】
請求項１〜５の何れかに記載のバックライト装置を搭載した液晶表示装置。
【発明の詳細な説明】
【技術分野】
【０００１】
本発明は液晶表示装置に関し、特にそのバックライト装置の構造に関するものである。
【背景技術】
【０００２】
液晶表示装置のバックライト装置は、薄型構造とするために導光板の端に光源ユニットを配置したエッジライト型のものが主流になっている。例えば、特許文献１では、光源ユニットは、断面がコ字状のランプハウス内に冷陰極管からなる線状の光源をランプホルダを介して保持した構成としている。
【０００３】
また、一般的なランプホルダの斜視図を図４に示す。ランプホルダ１００はＬ字型であり、内部が空洞に形成され、その一端の開口部１０１から矢印Ｄの方向に、ランプとランプケーブルとを挿入し、他端の開口部１０２から矢印Ｅの方向にランプケーブルを引き出す。組み立て時にはランプとランプケーブルを先に半田付けしてからランプホルダに挿入してもよいが、一般的にはランプホルダにランプケーブルを挿入して端部を開口部１０１から出し、ランプケーブルとランプとを半田付けし、ランプケーブルを矢印Ｅの方向に引っ張って組み立てる。
【特許文献１】特開２００１−２７３８０７号公報
【発明の開示】
【発明が解決しようとする課題】
【０００４】
しかしながら、特許文献１では、ランプケーブルを固定する部材がないためランプケーブルがランプハウスから離れてしまい、光源ユニットをケースに挿入しにくいという問題がある。また、ランプハウスが複雑なクランク状であるため、所望の寸法が得難く、金型作成費も高額になる。
【０００５】
一方、図４に示したランプホルダでは、ランプケーブルの挿入方向と引出し方向が直角になっている。それによりランプ及びランプハウスを薄型・小型化してもランプホルダの端部とそこから引き出されるランプケーブルとがランプハウスの外周から突出する。その結果、光源ユニットの薄型・小型化が妨げられる。
【０００６】
本発明は、光源ユニットを薄型・小型化してバックライト装置更には液晶表示装置を薄型・小型化することを目的とする。
【課題を解決するための手段】
【０００７】
上記目的を達成するために本発明は、線状のランプと、該ランプに接続されたランプケーブルと、前記ランプ及び前記ランプケーブルの接続部を覆うランプホルダと、該ランプホルダを固定するとともに前記ランプからの発光を反射するランプリフレクタとを有する光源ユニットを備えたバックライト装置において、前記ランプホルダは、第１の開口部及び第１の空洞部を有し、前記ランプの端部を支持するランプ支持部と、前記第１の空洞部と略平行に形成された第２の空洞部と、前記第２の空洞部の前記第１の開口部と同方向の端部に形成された第２の開口部とを有し、前記ランプケーブルの端部を支持するランプケーブル支持部と、前記第１及び第２の空洞部の壁面を分断し、前記第１の空洞部と前記第２の空洞部とを連通するとともに、前記第１及び第２の開口部まで延びた溝部とを備えることを特徴とするものである。
【０００８】
この構成によると、ランプとランプケーブルとを半田付けした状態でランプホルダに挿入することができ、ランプとランプケーブルとが平行に配置される。
【０００９】
上記のバックライト装置において、前記第１の空洞部を前記第２の空洞部より長くし、前記第１の空洞部の前記第１の開口部とは反対側の端部と、前記第２の空洞部の前記第２の開口部とは反対側の端部とを並設することが望ましい。
【００１０】
また上記のバックライト装置において、前記溝部のうち、前記第２の空洞部の前記第２の開口部とは反対側の端部から前記第２の開口部と前記第１の開口部との間の所定位置までの部分は、前記ランプケーブルよりも太いことが望ましい。
【００１１】
この構成によると、ランプケーブルは、第２の空洞部及び太い溝部の中を通り、細い溝部の上をランプリフレクタを介して沿うことになり、ランプケーブルはＳ字状に配置されることになる。
【００１２】
また上記のバックライト装置において、前記ランプリフレクタの断面は、コ字状の一方の角を直線で面取りした形状であり、面取りした部分に前記ランプケーブルを這わせることが望ましい。
【００１３】
この構成によると、ランプケーブルを這わせるためにランプリフレクタを複雑なクランク状に形成する必要がない。
【００１４】
また上記のバックライト装置において、前記ランプケーブルと前記ランプリフレクタとが接着されていることが望ましい。
【００１５】
また本発明の液晶表示装置は、上記のバックライト装置を搭載したものである。
【発明の効果】
【００１６】
請求項１によれば、ランプとランプケーブルとが平行に配置されるので、光源ユニットを薄型・小型化することができる。
【００１７】
請求項２によれば、無駄に第１又は第２の空洞部を長くすることがなくなり、光源ユニットを小型化することができる。
【００１８】
請求項３によれば、ランプケーブルがＳ字状に配置されるので、ランプホルダの外周とランプケーブルの外周とが面一となる。これにより、組み立て時やランプ交換時において光源ユニットをケースに挿入する際にランプケーブルが引っ掛かることがなくなる。またランプケーブルが突出することがないので、光源ユニットを薄型化でき、光源ユニットの設置面積が小さくなるので、バックライト装置を薄型・小型化することができる。
【００１９】
請求項４によれば、複雑なクランク状に形成しないので、所望の寸法が得易く、金型作成費も安価になる。
【００２０】
請求項５によれば、ランプケーブルとランプリフレクタとが接着されるので、組み立て時やランプ交換時において、光源ユニットをケースに挿入する際にランプケーブルが引っ掛かることをなくすことができる。
【００２１】
請求項６によれば、薄型・小型化されたバックライト装置を搭載するので液晶表示装置も薄型・小型化することができる。
【発明を実施するための最良の形態】
【００２２】
図１は液晶表示装置の断面図、図２は図１のＡ−Ａ線断面図、図３はランプホルダの斜視図である。液晶表示装置１０は、光源を有するバックライト装置１１と、液晶パネル１２と、液晶表示装置１０を制御する制御部（不図示）と、それらの前面を覆う前面枠１３及び保護シート１４と、それらの背面を覆う裏カバー１５とから構成される。
【００２３】
バックライト装置１１は、開口部を有する額縁状のケース１６と、ケース１６の開口部にはめ込まれた各種の光学シート１７と、ケース１６内に収められた光源ユニット１８とケース１６内に収められた導光板１９及び反射シート２０と、これら光源ユニット１８と導光板１９と反射シート２０とを覆いケース１６に嵌合する裏蓋２１とから構成される。
【００２４】
光源ユニット１８は、冷陰極管等からなる線状のランプ２２と、ランプ２２に接続されたランプケーブル２３と、ランプ２２及びランプケーブル２３の接続部を覆うランプホルダ２４と、ランプホルダ２４を固定するとともにランプ２２からの発光を反射するランプリフレクタ２５とから構成される。
【００２５】
ランプ２２とランプケーブル２３とは半田２６で接続されている。ランプホルダ２４はランプ２２の端部を支持するため、第１の開口部２４ａ及び第１の空洞部２４ｂを有するランプ支持部２４ｃと、ランプケーブル２３の端部を支持するため、第１の空洞部２４ｂと略平行に形成された第２の空洞部２４ｄと、第２の空洞部２４ｄの第１の開口部２４ａと同方向の端部に形成された第２の開口部２４ｅとを有するランプケーブル支持部２４ｆと、第１及び第２の空洞部２４ｂ、２４ｄの壁面を分断し、第１の空洞部２４ｂと第２の空洞部２４ｄとを連通するとともに、第１及び第２の開口部２４ａ、２４ｅまで延びた溝部２４ｇとから形成される。なお、ランプホルダ２４の材料としては、弾性体を用いることが好ましく、例えばゴムを用いることができる。
【００２６】
また、第１の空洞部２４ｂは第２の空洞部２４ｄより長く、第１の空洞部２４ｂの第１の開口部２４ａとは反対側の端部２４ｈと、第２の空洞部２４ｄの第２の開口部２４ｅとは反対側の端部２４ｉとを図２のように並設することが好ましい。これにより、無駄に第１又は第２の空洞部２４ｂ、２４ｄを長くすることがなくなり、光源ユニット１８を小型化することができる。
【００２７】
また、溝部２４ｇのうち、端部２４ｉから第２の開口部２４ｅと第１の開口部２４ａとの間の所定位置までの部分（以下、太溝部２４ｇ1）は、図３のようにランプケーブル２３よりも太いことが望ましい。一方、太溝部２４ｇ1以外の溝部（細溝部２４ｇ2）は、図３のようにランプケーブル２３よりも細いことが望ましい。なお、ランプホルダ２４がランプリフレクタ２５に挿入された状態において、ランプリフレクタ２５の端部が太溝部２４ｇ1まで達するように太溝部２４ｇ1と細溝部２４ｇ2との割合を設計する。
【００２８】
組み立て時には、ランプ２２にランプケーブル２３を半田付けした後、半田２６部分を先頭にランプ２２の端部及びランプケーブル２３の端部を図３の矢印Ｂの方向にランプホルダ２４に挿入する。このとき、ランプケーブル２３は溝部２４ｇを通して第２の空洞部２４ｄに挿入される。挿入されたランプケーブル２３は、図３の矢印Ｃの方向に引き出された状態となる。そして、ランプホルダ２４をランプリフレクタ２５に挿入、固定する。これは、ランプホルダ２４の外周に設けた突起（不図示）とランプリフレクタ２５に形成した穴（不図示）とを嵌合することにより固定できる。
【００２９】
この構成により、ランプケーブル２３は、第２の空洞部２４ｄ及び太溝部２４ｇ1の中を通り、細溝部２４ｇ2の上をランプリフレクタ２５を介して沿うことになる。つまり、ランプケーブル２３は、図２のようにＳ字状に配置される。その結果、ランプケーブル支持部２４ｆの外周とランプケーブル２３の外周とが面一となる。これにより、組み立て時やランプ交換時において、光源ユニット１８をケース１６に挿入する際にランプケーブル２３が引っ掛かることがなくなる。また、ランプケーブル２３やランプケーブル支持部２４ｆが突出することがないので、光源ユニット１８を薄型・小型化でき、光源ユニット１８の設置面積が小さくなるので、バックライト装置１１更には液晶表示装置１０を薄型・小型化することができる。
【００３０】
ランプリフレクタ２５は、アルミ等の金属を板金加工して形成され、その内面には反射用のメッキが施されている。ランプリフレクタ２５の断面は、コ字状の一方の角を直線で面取りした形状であり、面取りした部分にランプケーブル２３を這わせる。このように、直線で面取りした部分にランプケーブル２３を這わせるので、特許文献１のように複雑なクランク状に形成しないので、所望の寸法が得易く、金型作成費も安価である。
【００３１】
なお、ランプケーブル２３とランプリフレクタ２５とは接着剤や両面テープにより接着することが望ましい。組み立て時やランプ交換時において、光源ユニット１８をケース１６に挿入する際にランプケーブル２３が引っ掛かることをなくすためである。
【産業上の利用可能性】
【００３２】
本発明のバックライト装置は、冷陰極管等からなる線状のランプを用いた光源ユニットを搭載するものである。また本発明の液晶表示装置は、そのバックライト装置を搭載し、直視型と投射型どちらにも利用することができる。
【図面の簡単な説明】
【００３３】
【図１】本発明の液晶表示装置の断面図である。
【図２】図１のＡ−Ａ線断面図である。
【図３】本発明のランプホルダの斜視図である。
【図４】従来のランプホルダの斜視図である。
【符号の説明】
【００３４】
１０  液晶表示装置
１１  バックライト装置
１８  光源ユニット
２２  ランプ
２３  ランプケーブル
２４  ランプホルダ
２４ａ  第１の開口部
２４ｂ  第１の空洞部
２４ｃ  ランプ支持部
２４ｄ  第２の空洞部
２４ｅ  第２の開口部
２４ｆ  ランプケーブル支持部
２４ｇ  溝部
２４ｈ  第１の空洞部の第１の開口部とは反対側の端部
２４ｉ  第２の空洞部の第２の開口部とは反対側の端部
２５  ランプリフレクタ
【図１】
2006092767.tif 000003
【図２】
2006092767.tif 000004
【図３】
2006092767.tif 000005
【図４】
2006092767.tif 000006